(57)【要約】【課題】製造時や出荷時に納入先が不明なポンプユニットに対して効率的なメンテナンスを行うことができるメンテナンスシステム、このメンテナンスシステムの運用方法、このメンテナンスシステムの運用に特に適したポンプユニットの製造方法を提供すること。【解決手段】生産された個別のポンプユニット６０を特定可能な識別記号を含む基本情報のデータＤ１が格納されたメンテナンス側サーバ２１と、現場に設置されたポンプユニット６０に予めエンコードされて付された基本情報を、通信回線を介してメンテナンス側サーバ２１が受信する受信手段２２とを備え、受信手段２２が、前記基本情報のほか、現場を特定可能な情報を受信可能に構成されている。【選択図】図１
2009134624.tif 000002
【特許請求の範囲】
【請求項１】
生産されたポンプユニットについて、個別の前記ポンプユニットを特定可能な識別記号を含む基本情報のデータが格納されたメンテナンス側サーバと；
現場に設置された前記ポンプユニットに予めエンコードされて付された前記基本情報を、通信回線を介して前記メンテナンス側サーバが受信する受信手段とを備え；
前記受信手段が、前記基本情報のほか、前記現場を特定可能な情報を受信可能に構成された；
メンテナンスシステム。
【請求項２】
前記基本情報が、前記ポンプユニットの設定値の情報を含んで構成され；
前記設定値の情報が、前記ポンプの目標吐出圧力、及び前記ポンプの運転台数に関する情報を含んで構成された；
請求項１に記載のメンテナンスシステム。
【請求項３】
予め登録された前記現場側の端末に前記メンテナンス側サーバが連絡事項を送信する送信手段を備え；
前記メンテナンス側サーバが、前記ポンプユニットの稼働開始日の情報を受信して、該受信した情報及び前記メンテナンス側サーバに予め登録された前記ポンプユニットの構成部品の耐用年数情報に基づいて前記ポンプユニットのメンテナンスの要否を判定し、メンテナンスが必要と判断したときに前記現場側の端末にメンテナンスに関する前記連絡事項を送信するように構成された；
請求項１又は請求項２に記載のメンテナンスシステム。
【請求項４】
前記ポンプユニットは、ポンプと、前記ポンプユニットのエラー内容を表示するエラー表示部が設けられた、前記ポンプを制御する制御盤とを有し；
前記エラー表示部の近傍に前記基本情報がエンコードされたコードが取り付けられて構成された；
請求項１乃至請求項３のいずれか１項に記載のメンテナンスシステム。
【請求項５】
ポンプと、前記ポンプを制御する制御盤とを有するポンプユニットを構成する構成部材に取り付けられた、個別の前記ポンプユニットを特定可能な識別記号を含む基本情報がエンコードされたコードを、現場側端末で読み込む読込工程と；
前記現場側端末で読み込まれた前記基本情報を、前記現場を特定可能な情報と共に、前記現場側端末からメンテナンス側サーバに送信する送信工程と；
前記メンテナンス側サーバに、前記現場側端末から送信されてきた情報を格納する格納工程とを備える；
メンテナンスシステムの運用方法。
【請求項６】
請求項１乃至請求項４のいずれか１項に記載のメンテナンスシステムに用いられるポンプユニットの製造方法であって；
前記ポンプユニットを構成する構成部材にエンコードされた前記基本情報のコードを取り付ける取付工程と；
前記構成部材に取り付けられたコードを読み取って前記コードで表された前記基本情報を前記制御盤に書き込む書込工程とを備える；
ポンプユニットの製造方法。
【請求項７】
ポンプと、前記ポンプを制御する制御盤とを有するポンプユニットを構成する構成部材に、前記ポンプユニットに関する情報がエンコードされたコードを取り付ける取付工程と；
前記構成部材に取り付けられたコードを読み取って前記コードで表された情報を前記制御盤に書き込む書込工程とを備える；
ポンプユニットの製造方法。
【請求項８】
前記制御盤が、前記ポンプユニットのエラー内容を表示するエラー表示部を有し；
前記取付工程が、前記エラー表示部の近傍に前記コードを取り付けるように構成された；
請求項７に記載のポンプユニットの製造方法。
【発明の詳細な説明】
【技術分野】
【０００１】
本発明はメンテナンスシステム、メンテナンスシステムの運用方法、及びポンプユニットの製造方法に関し、特に納入先が不明なポンプユニットに対して効率的なメンテナンスを行うことができるメンテナンスシステム、メンテナンスシステムの運用方法、及びポンプユニットの製造方法に関する。
【背景技術】
【０００２】
複数の部品から構成される製品について、同一設計の部品毎に定められた各部品番号を用いて生成した構成ツリーをコンピュータのツリーファイルに格納し、複数の部品のうち少なくとも主要部品の各々に、各部品の属性をリンクさせた特定のシリアル番号を振り当て、部品番号とリンクさせてコンピュータのファイルに格納し、シリアル番号を該シリアル番号が振り当てられた部品に打つことにより、特定の属性を有する部品に該当するシリアル番号を知ることができて、それが納入された客先名を知ることで、アフターサービスに活用することができるシステムがある（例えば、特許文献１参照。）。
【特許文献１】特開２００２−３２４１７号公報（段落０００５、０００９等）
【発明の開示】
【発明が解決しようとする課題】
【０００３】
しかしながら、上記システムは、予め納入先が決められていてその納入先のために製造される機械製品に対しては有効であるものの、汎用のポンプユニットのような例えば代理店を通して不特定の者に販売される物に対しては、納入先を特定することが困難であり、効率的なメンテナンスを行うことが難しかった。
【０００４】
本発明は上述の課題に鑑み、製造時や出荷時に納入先が不明なポンプユニットに対して効率的なメンテナンスを行うことができるメンテナンスシステム、このメンテナンスシステムの運用方法、及びこのメンテナンスシステムの運用に特に適したポンプユニットの製造方法を提供することを目的とする。
【課題を解決するための手段】
【０００５】
上記目的を達成するために、本発明の第１の態様に係るメンテナンスシステムは、例えば図１に示すように、生産されたポンプユニット６０について、個別のポンプユニット６０を特定可能な識別記号を含む基本情報のデータＤ１が格納されたメンテナンス側サーバ２１と；現場に設置されたポンプユニット６０に予めエンコードされて付された前記基本情報を、通信回線を介してメンテナンス側サーバ２１が受信する受信手段２２とを備え；受信手段２２が、前記基本情報のほか、前記現場を特定可能な情報を受信可能に構成されている。現場を特定可能な情報は、典型的には、現場の所在地、現場に設置されたポンプユニット６０に関する連絡を受ける連絡先などである。
【０００６】
このように構成すると、メンテナンス側サーバと受信手段とを備え、この受信手段が、基本情報のほか、ポンプユニットが設置された現場を特定可能な情報を受信可能に構成されており、基本情報が予めエンコードされてポンプユニットに付されているので、特定のポンプユニットの納入先を出荷後に容易に把握することが可能となり、製造時や出荷時に納入先が不明なポンプユニットに対して効率的なメンテナンスを行うことが可能となる。
【０００７】
また、本発明の第２の態様に係るメンテナンスシステムは、例えば図１を参照して示すと、上記本発明の第１の態様に係るメンテナンスシステム１０において、前記基本情報が、ポンプユニット６０の設定値の情報を含んで構成され；前記設定値の情報が、ポンプ６１の目標吐出圧力、及びポンプ６１の運転台数に関する情報を含んで構成されている。
【０００８】
このように構成すると、ポンプユニットの出荷後に設定値が変更された場合にその変更を把握することが容易になり、現場に設置されたポンプユニットの運転状態を推測することが可能となって、適切なメンテナンスを行うことに役立てることができる。
【０００９】
また、本発明の第３の態様に係るメンテナンスシステムは、例えば図１に示すように、上記本発明の第１の態様又は第２の態様に係るメンテナンスシステム１０において、予め登録された前記現場側の端末５１（５５）にメンテナンス側サーバ２１が連絡事項を送信する送信手段２３を備え；メンテナンス側サーバ２１が、ポンプユニット６０の稼働開始日の情報を受信して、該受信した情報Ｄ５及びメンテナンス側サーバ２１に予め登録されたポンプユニット６０の構成部品の耐用年数情報Ｄ４に基づいてポンプユニット６０のメンテナンスの要否を判定し、メンテナンスが必要と判断したときに現場側の端末５１（５５）にメンテナンスに関する連絡事項を送信するように構成されている。
【００１０】
このように構成すると、適切なタイミングで現場側の端末にメンテナンスに関する連絡事項が送信されることとなり、ポンプユニットの効率的なメンテナンスを行うことができる。
【００１１】
また、本発明の第４の態様に係るメンテナンスシステムは、例えば図１に示すように、上記本発明の第１の態様乃至第３の態様のいずれか１つの態様に係るメンテナンスシステム１０において、ポンプユニット６０は、ポンプ６１と、ポンプユニット６０のエラー内容を表示するエラー表示部６３が設けられた、ポンプ６１を制御する制御盤６２とを有し；エラー表示部６３の近傍に前記基本情報がエンコードされたコード６５が取り付けられて構成されている。
【００１２】
このように構成すると、エラー表示部の近傍に基本情報がエンコードされたコードが取り付けられているので、ポンプユニットにエラーが発生した場合にコードとエラー内容とを同時に画像に収めてメンテナンス側サーバに送信することが可能となり、現場のポンプユニットに精通していない者であってもポンプユニットの状態を正確に伝えることができる。「エラー表示部の近傍に前記基本情報がエンコードされたコードが取り付けられて構成」とは、典型的には、エラー表示部の写真を撮るとコードも一緒に撮影されるような位置に取り付けられている構成をいう。
【００１３】
上記目的を達成するために、本発明の第５の態様に係るメンテナンスシステムの運用方法は、例えば図１及び図５に示すように、ポンプ６１と、ポンプ６１を制御する制御盤６２とを有するポンプユニット６０を構成する構成部材に取り付けられた、個別のポンプユニット６０を特定可能な識別記号を含む基本情報がエンコードされたコード６５を、現場側端末５１で読み込む読込工程（ＳＴ１２）と；現場側端末５１で読み込まれた前記基本情報を、前記現場を特定可能な情報と共に、現場側端末５１からメンテナンス側サーバ２１に送信する送信工程（ＳＴ１４）と；メンテナンス側サーバ２１に、現場側端末５１から送信されてきた情報を格納する格納工程（ＳＴ１５）とを備える。
【００１４】
このように構成すると、基本情報がエンコードされたコードを現場側端末で読み込む読込工程と、読み込まれた基本情報をポンプユニットが設置された現場を特定可能な情報と共に送信する送信工程と、送信されてきた情報を格納する格納工程とを備えるので、特定のポンプユニットの納入先を出荷後に容易に把握することが可能となり、製造時や出荷時に納入先が不明なポンプユニットに対して効率的なメンテナンスを行うことが可能となる。
【００１５】
上記目的を達成するために、本発明の第６の態様に係るポンプユニットの製造方法は、例えば図１及び図６に示すように、上記本発明の第１の態様乃至第４の態様のいずれか１つの態様に係るメンテナンスシステム１０に用いられるポンプユニット６０の製造方法であって；ポンプユニット６０を構成する構成部材にエンコードされた前記基本情報のコード６５を取り付ける取付工程（ＳＴ６４）と；前記構成部材に取り付けられたコード６５を読み取ってコード６５で表された前記基本情報を制御盤６２に書き込む書込工程（ＳＴ６６）とを備える。
【００１６】
このように構成すると、構成部材に取り付けられたコードを読み取ってコードで表された基本情報を制御盤に書き込むので、コードで表された基本情報と制御盤に書き込まれた基本情報とが異なる内容となることを防ぐことができる。
【００１７】
上記目的を達成するために、本発明の第７の態様に係るポンプユニットの製造方法は、例えば図１及び図６に示すように、ポンプ６１と、ポンプ６１を制御する制御盤６２とを有するポンプユニット６０を構成する構成部材に、ポンプユニット６０に関する情報がエンコードされたコード６５を取り付ける取付工程（ＳＴ６４）と；前記構成部材に取り付けられたコード６５を読み取ってコード６５で表された情報を制御盤６２に書き込む書込工程（ＳＴ６６）とを備える。
【００１８】
このように構成すると、構成部材に取り付けられたコードを読み取ってコードで表された基本情報を制御盤に書き込むので、コードで表された基本情報と制御盤に書き込まれた基本情報とが異なる内容となることを防ぐことができる。
【００１９】
また、本発明の第８の態様に係るポンプユニットの製造方法は、例えば図１を参照して示すと、上記本発明の第７の態様に係るポンプユニットの製造方法において、制御盤６２が、ポンプユニット６０のエラー内容を表示するエラー表示部６３を有し；取付工程（図６のＳＴ６４）が、エラー表示部６３の近傍にコード６５を取り付けるように構成されている。
【００２０】
このように構成すると、エラー表示部の近傍にコードを取り付けるので、ポンプユニットを現場に設置した後、ポンプユニットにエラーが発生した場合にコードとエラー内容とを同時に画像に収めて送信することが可能となり、現場のポンプユニットに精通していない者であってもポンプユニットの状態を正確に伝えることができる。
【発明の効果】
【００２１】
本発明に係るメンテナンスシステムによれば、メンテナンス側サーバと受信手段とを備え、この受信手段が、基本情報のほか、ポンプユニットが設置された現場を特定可能な情報を受信可能に構成されており、基本情報が予めエンコードされてポンプユニットに付されているので、特定のポンプユニットの納入先を出荷後に容易に把握することが可能となり、製造時や出荷時に納入先が不明なポンプユニットに対して効率的なメンテナンスを行うことが可能となる。
【００２２】
本発明に係るメンテナンスシステムの運用方法によれば、基本情報がエンコードされたコードを現場側端末で読み込む読込工程と、読み込まれた基本情報をポンプユニットが設置された現場を特定可能な情報と共に送信する送信工程と、送信されてきた情報を格納する格納工程とを備えるので、特定のポンプユニットの納入先を出荷後に容易に把握することが可能となり、製造時や出荷時に納入先が不明なポンプユニットに対して効率的なメンテナンスを行うことが可能となる。
【００２３】
本発明に係るポンプユニットの製造方法によれば、構成部材に取り付けられたコードを読み取ってコードで表された基本情報を制御盤に書き込むので、コードで表された基本情報と制御盤に書き込まれた基本情報とが異なる内容となることを防ぐことができる。
【発明を実施するための最良の形態】
【００２４】
以下、図面を参照して本発明の実施の形態について説明する。なお、各図において互いに同一又は相当する部材には同一あるいは類似の符号を付し、重複した説明は省略する。
【００２５】
まず図１を参照して、本発明の第１の実施の形態に係るメンテナンスシステム１０について説明する。図１（ａ）は、メンテナンスシステム１０を説明する概念図である。メンテナンスシステム１０は、ポンプユニット６０のメンテナンスを行う者が管理するメンテナンス側サーバ２１と、受信手段２２と、送信手段２３と、ポンプユニット６０が設置される現場側で使用される現場側の端末としての携帯電話５１とを含んで構成されている。
【００２６】
ポンプユニット６０は、典型的にはメーカの工場で生産され、利用される現場に設置される。ポンプユニット６０は、１台又は複数台のポンプ６１と、ポンプ６１の運転を制御する制御盤６２とを有するユニットである。本実施の形態のポンプユニット６０は、２台のポンプ６１Ａ、６１Ｂを有している。複数台のポンプを有していると、一方を常用ポンプとし他方を常用ポンプの故障時に備える予備ポンプとしたり、交互運転によりポンプ６１の寿命を延ばすことや、同時運転により要求水量が急激に増加した場合に対応することが可能となる。
【００２７】
また、ポンプユニット６０の制御盤６２には、ポンプユニット６０のエラー内容を表示するエラー表示部６３が設けられている。本実施の形態のエラー表示部６３は、７セグの数字（不図示）でエラー内容を表示することとしているが、エラーの内容を表示することができれば他の表示手段であってもよい。エラー表示部６３には、典型的には、ポンプ６１の目標吐出圧力及びポンプ６１の運転台数を含む設定値を変更するための入力手段（不図示）が併設されている。この入力手段は、典型的にはボタンやタッチパネルである。
【００２８】
エラー表示部６３の近傍には、ポンプユニット６０の基本情報がエンコードされたコード６５が取り付けられている。本実施の形態では、コード６５は２次元コード（水平方向と垂直方向とに情報を持つコード（図１（ｂ）参照））であり、外部から視認可能な態様で取り付けられている。エラー表示部６３の近傍とは、２次元コード６５とエラー表示部６３とを一般的な撮影機器（例えば携帯電話のカメラ）で一緒に撮影した場合に、２次元コード６５及びエラー表示部６３が表示する内容が識別可能な程度に撮影可能な範囲である。このようにエラー表示部６３と２次元コード６５とが互いに近傍に取り付けられていれば、例えばエラー表示部６３を撮影しようとすれば特に意識しなくても２次元コード６５も撮影されるので、現場のポンプユニット６０に精通していない者が情報を伝達する場合であっても、情報の取り残し（取り忘れ）を防ぐことができる。本発明における、エラー表示部の近傍にコードを取り付けるとは、エラー表示に支障がないようにエラー表示部そのものにコードを貼付等して取り付ける場合も含まれる概念である。また、コード６５を取り付けるとは、コード６５が表されたシールを貼付してもよく、直に転写してもよい。また、ポンプユニット６０の基本情報には、多数生産される同種のポンプユニットから個別のポンプユニットを特定することができる識別記号（シリアル番号）、ポンプ６１の目標吐出圧力及びポンプ６１の運転台数等の設定値の情報が含まれる（図２参照）。
【００２９】
メンテナンス側サーバ２１は、ポンプユニット６０のメンテナンスを行う際の有用なデータが格納されたコンピュータである。メンテナンス側サーバ２１には、基本情報のほか、ポンプユニット６０の型式についてのデータＤ２、ポンプユニット６０の構成部品ついてのデータＤ３、各構成部品の耐用年数についてのデータＤ４等が格納されている。メンテナンス側サーバ２１は、ＣＰＵやＲＡＭ、ＲＯＭを含んで構成されており、各種のデータの記憶及び各種のデータを用いた情報処理を行うことができるように構成されている。
【００３０】
ここで図３を参照して、メンテナンス側サーバ２１に格納されているデータについて説明する。図３は、メンテナンス側サーバ２１に格納されているデータを説明する図であり、（ａ）はシリアル番号とポンプユニット６０の型式との関係を示す図、（ｂ）はポンプユニット６０の型式とその型式のポンプユニットを構成する構成部品との関係を示す図、（ｃ）は各構成部品の耐用年数を示す図である。ポンプユニット６０の型式は、一般に型番と呼ばれることもあり、典型的にはポンプ６１の呼び径や電動機の入力電力、主な用途（使用に適切な水質や温度等）などのポンプユニット６０の諸元を示している。したがって、ポンプユニット６０のような量産される機器では、同じ型式のポンプユニット６０が複数存在する。このような複数存在する同じ型式のポンプユニット６０を個別に特定することができるように各々のポンプユニット６０にシリアル番号が付与されている。図３（ａ）に示すように、あるシリアル番号のポンプユニット６０がいかなる型式のポンプユニット６０かが関連づけられて、データＤ２（図１参照）としてメンテナンス側サーバ２１に格納されている。
【００３１】
また、図３（ｂ）に示すように、ある型式のポンプユニット６０がどのような構成部品から成り立っているかが関連づけられて、データＤ３（図１参照）としてメンテナンス側サーバ２１に格納されている。さらに図３（ｃ）に示すように各構成部品についての耐用年数がデータＤ４（図１参照）としてメンテナンス側サーバ２１に格納されている。
【００３２】
図４は、ポンプユニット６０の出荷後にメンテナンス側サーバ２１に格納されるユーザー情報のデータＤ５（図１参照）を説明する図であり、（ａ）はユーザーからの情報の届出がある前の状態の図、（ｂ）はユーザーからの情報の届出があった後の状態の図である。図４（ａ）に示すように、例えば代理店を通して不特定の者に販売されるような汎用のポンプユニット６０は、出荷前にはユーザー情報が明らかになっていない。ポンプユニット６０が使用場所（現場）に納入され、ユーザーから所定の情報の届出があると、図４（ｂ）に示すように届出があったユーザー情報のデータＤ５（図１参照）がメンテナンス側サーバ２１に格納される（図４（ｂ）中の空欄は該当データがないことを示している。）。ポンプユニット６０の納入先を把握するためには、ポンプユニット６０が設置された現場の所在地や現場に設置されたポンプユニット６０に関する連絡を受ける連絡先等の現場を特定可能な情報が分かればよいが、本実施の形態では、迅速適切なメンテナンスを可能にするため、ポンプユニット６０が設置された建物の用途、ポンプユニット６０の稼働開始日、過去のメンテナンスの内容、ポンプユニット６０の故障情報のデータをユーザー情報のデータＤ５（図１参照）としてメンテナンス側サーバ２１に格納可能に構成している。ポンプユニット６０の故障情報には、典型的にはエラー表示部６３が表示するエラー内容が含まれる。
【００３３】
なお、メンテナンス側サーバ２１に格納されるデータには、各構成部品のシリアル番号のデータを含めてもよい。このようにすると、特定の構成部品についても生産時期や生産工場等の個性を把握することができる。
また、メンテナンス側サーバ２１は、格納されているデータに基づいて（参照して）、各ポンプユニット６０のメンテンスの要否を判断する判断部２１ａを有している。
【００３４】
メンテナンス側サーバ２１には、基本情報のデータＤ１やユーザー情報のデータＤ５等を表示することができる表示手段２４が接続されている。表示手段２４は、典型的にはディスプレイであるが、プリンタやその他データを表示できるものであってもよい。また、メンテナンス側サーバ２１には、格納されているデータの編集やメンテナンス側サーバ２１に情報処理を実行させることができるデータを入力するための入力手段２５が接続されている。入力手段２５は、典型的にはキーボード及び／又はマウスである。
【００３５】
受信手段２２は、携帯電話５１から送信されたユーザー情報のデータＤ５を受信して、メンテナンス側サーバ２１のデータ格納領域に、受信したデータＤ５を送るように構成されている。本実施の形態の受信手段２２は、メンテナンス側サーバ２１にインストールされたソフトウェアをメンテナンス側サーバ２１のＣＰＵ等が実行させることにより実現されているが、受信手段２２はその機能を発揮することができれば他の態様で実現されていてもよい。受信手段２２は、外部ネットワーク（インターネット等のコンピュータネットワーク、パケット通信網など）を介して携帯電話５１に接続されている。
【００３６】
送信手段２３は、判断部２１ａでメンテナンスが必要と判断されたポンプユニット６０について、メンテナンス側サーバ２１に格納されている情報（図４参照）に基づいて、当該ポンプユニット６０のユーザーの携帯電話５１に、メンテナンスに関する連絡事項のデータを送信するように構成されている。本実施の形態の送信手段２３は、メンテナンス側サーバ２１にインストールされたソフトウェアをメンテナンス側サーバ２１のＣＰＵ等が実行させることにより実現されているが、送信手段２３はその機能を発揮することができれば他の態様で実現されていてもよい。送信手段２３は、通信回線としての外部ネットワーク（インターネット等のコンピュータネットワーク、パケット通信網など）を介して携帯電話５１あるいは現場側の端末としてのファクシミリ５５に接続されている。
【００３７】
現場側端末としての携帯電話５１は、典型的には、メンテナンス側サーバ２１と各種データの受け渡しをすることができる通信手段と、ポンプユニット６０に取り付けられた２次元コード６５を読み込むことができる読込手段とを有している。さらに携帯電話５１は、表示部６３に表示されたエラー内容を画像データとして取り込むことができる撮影手段を有していることが好ましい。通信手段と読込手段とを有していると、１台の端末でユーザー情報をメンテナンス側サーバ２１に送信することができ、データ送信の手間が軽減される。
【００３８】
次に図５を参照して、メンテナンスシステム１０（図１参照）の作用（運用方法）について説明する。図５は、メンテナンスシステム１０（図１参照）の作用を説明するフローチャートである。以下の説明におけるメンテナンスシステム１０の構成要素の符号については適宜図１を参照するものとする。メンテナンス側サーバ２１は、複数のポンプユニット６０のデータを管理することができる（図２参照）。工場で生産され納入先が不明のまま出荷されたポンプユニット６０（この状態のポンプユニット６０は不特定物である）は、典型的には、購入した者に引き渡されて（この状態のポンプユニット６０は特定物である）使用される現場に設置される（ＳＴ１１）。ポンプユニット６０が設置された段階では、メンテナンスを行う側（典型的にはメーカ側）は、そのポンプユニット６０が設置された現場の所在地等のユーザー情報を把握していない。
【００３９】
現場側（ポンプユニット６０を使用する側）は、ポンプユニット６０が設置されたらポンプユニット６０に２次元コード６５として貼付されている基本情報のデータを携帯電話５１で読み込む（ＳＴ１２）。２次元コード６５を読み込む（デコード）と、そのポンプユニット６０の基本情報のデータが携帯電話５１に入力されると共に、ポンプユニット６０が設置された現場の所在地、ポンプユニット６０に関する連絡を受ける連絡先、建物の用途、稼働開始日、故障情報等のユーザー情報の入力を待ち受けるユーザー情報入力フォーム、及びメンテナンス側サーバ２１のネットワーク上のアドレスが携帯電話５１に入力され、表示される。次に現場側は、既に携帯電話５１に入力されている基本情報以外の必要な情報として、ユーザー情報を追加入力する（ＳＴ１３）。本実施の形態では、ポンプユニット６０が設置された現場の所在地及び現場に設置されたポンプユニット６０に関する連絡を受ける連絡先の少なくとも一方を、入力必須情報として求めることとしている。なお、携帯電話５１へのユーザー情報の入力は、ポンプユニット６０を現場に設置した工事業者が行ってもよく（ポンプユニット６０の試運転調整時に入力してもよい）、ポンプユニット６０が設置された建物のオーナーや保守管理をする者が行ってもよい。
【００４０】
現場側が必要な情報としてのユーザー情報を携帯電話５１へ入力後に送信の命令を行うと、携帯電話５１は、基本情報及びユーザー情報のデータをメンテナンス側サーバ２１に向けて送信する（ＳＴ１４）。メンテナンス側は、送信されてきたデータを受信手段２２が受信し、その後データはメンテナンス側サーバ２１の所定の領域に格納される（ＳＴ１５）。メンテナンス側サーバ２１が受信手段２２を介して受信したデータＤ５は、図４（ｂ）に示すような判断部２１ａがアクセスしやすい形で、典型的にはメンテナンス側サーバ２１のハードディスクに記憶される。
【００４１】
データを格納したメンテナンス側サーバ２１は、格納されているユーザー情報のデータＤ５及びメンテナンス側サーバ２１に予め登録されているポンプユニット６０の構成部品の耐用年数情報のデータＤ４（図３も参照）に基づいて、判断部２１ａがポンプユニット６０のメンテナンスの要否を判断する（ＳＴ１６）。メンテナンスの要否を判断する際、ポンプユニット６０の稼働開始日をユーザー情報として現場側から受信しているときはその受信している稼働開始日に基づき、稼働開始日を受信していないときはユーザー情報を受信した日を稼働開始日とみなして、メンテナンスの要否を判断する。ポンプユニット６０のメンテナンスが必要という判断には、メンテナンス時期が近づいたことを含む。また、ポンプユニット６０のメンテナンスの要否判定は、適宜（随時、典型的には所定の時間ごとに）行われる。
【００４２】
ポンプユニット６０のメンテナンスの要否を判断する工程（ＳＴ１６）において、メンテナンス側サーバ２１の判断部２１ａがメンテナンスの必要がないと判断した場合は、再びメンテナンスの要否を判断する工程（ＳＴ１６）に戻って適宜判断を繰り返す。他方、メンテナンスが必要と判断した場合、メンテナンス側サーバ２１は、送信手段２３を介して、格納されているユーザー情報に登録されている端末（携帯電話５１あるいはファクシミリ５５）宛にメンテナンスが必要（メンテナンス時期が近づいたことを含む）である旨の連絡事項を送信する（ＳＴ１７）。連絡事項の送信は、典型的には自動で、送信手段２３により、メンテナンス側サーバ２１から携帯電話５１あるいはファクシミリ５５へ行われる。
【００４３】
連絡事項が現場側に送信され、現場側がポンプユニット６０のメンテナンスを発注することによりメンテナンス側がメンテナンスを受注すると、メンテナンスを受注したことがメンテナンス側サーバ２１に記録される。メンテナンス側サーバ２１（判断部２１ａ）は、メンテナンス受注の旨のデータが記録されるか否かにより、ポンプユニット６０のメンテナンスを受注したか否かを判断する（ＳＴ１８）。メンテナンスを受注した場合は、メンテナンスを行うスタッフが現場に派遣され、構成部品のオーバーホールや交換等の必要なメンテナンスを行う。スタッフは、メンテナンスを行ったら、メンテナンスの内容をメンテナンス情報のデータとしてメンテナンス側サーバ２１に送信する（ＳＴ１９）。メンテナンス情報には、実物の制御盤６２等を点検することにより初めて把握されたポンプユニットの故障情報（エラー内容を含む）や、出荷時に設定されているポンプの目標吐出圧力等の設定値のうち変更されたものが含まれる。メンテナンス情報は、典型的にはスタッフにより送信されるので、送信される確実性が増す。メンテナンス側サーバ２１に送信されたメンテナンス情報のデータは、メンテナンス側サーバ２１の所定の領域に格納され（ＳＴ１５）、以降は図５に示すフローが継続される。なお、メンテナンス情報のデータがメンテナンス側サーバ２１の所定の領域に格納されると、図４に示すテーブルの該当部分が充足される。
【００４４】
ポンプユニット６０のメンテナンスを受注したか否かを判断する工程（ＳＴ１８）においてメンテナンスを受注していない場合、メンテナンス側サーバ２１（判断部２１ａ）は現場側（典型的には携帯電話５１やその他の端末）から、以後のメンテナンスに関する連絡は不要である旨の連絡を受けたか否かを判断する（ＳＴ２０）。連絡を受けていない場合は、メンテナンスが必要である旨の連絡事項を送信（ＳＴ１７）してから所定期間が経過したか否かを判断する（ＳＴ２１）。ここでいう所定期間は、ポンプユニット６０のメンテナンスに未着手でもポンプユニット６０に悪影響を与えない期間であって、現場側の注意を喚起するために再度連絡するのに適した期間である。所定時間が経過していない場合はメンテナンスを受注したか否かを判断する工程（ＳＴ１８）に戻り、以降図５に示すフローが継続される。他方、所定期間が経過した場合はメンテナンスが必要である旨の連絡事項を送信する工程に戻り（ＳＴ１７）、再度連絡事項を送信して以降図５に示すフローを継続する。
【００４５】
以後のメンテナンスに関する連絡は不要である旨の連絡を受けたか否かを判断する工程（ＳＴ２０）において、連絡を受けた場合は、そのポンプユニット６０は連絡対象から除外された旨が登録され、メンテナンス側サーバ２１に記録される（ＳＴ２２）。このように、メンテナンスシステム１０及びこの運用方法によれば、効率的なメンテナンスを行うことが可能になる。
【００４６】
次に図６を参照して、メンテナンスシステム１０（図１参照）の運用に特に適したポンプユニット６０（図１参照）の製造方法について説明する。図６は、ポンプユニット６０（図１参照）の製造方法を説明するフローチャートである。以下の説明におけるメンテナンスシステム１０の構成要素の符号については適宜図１を参照するものとする。上述のように、ポンプユニット６０には、基本情報がエンコード（コード化）された２次元コード６５が取り付けられている。この取り付けられた２次元コード６５は、メンテナンスシステム１０の適切な運用を図る観点から、少なくとも取り付けられた時点のポンプユニット６０の状態と整合していることが望まれる。そこで、本実施の形態では以下に説明するポンプユニット６０の製造方法にてポンプユニット６０を製造することとしている。
【００４７】
ポンプユニット６０は、典型的にはメーカの設計部門において設計される（ＳＴ６１）。設計により、ポンプ６１の台数、ポンプの呼び径、電動機特性、制御特性等が決定される。そして、設計に基づいてポンプ６１等の各構成部材が製造され、ポンプユニット６０が組み立てられる（ＳＴ６２）。なお、ポンプユニット６０の組み立てとは別に、設計情報に基づいてそのポンプユニット６０の基本情報が２次元コード６５にエンコード（コード化）される（ＳＴ６３）。その後、エンコードされた２次元コード６５が、組み立てられたポンプユニット６０の制御盤６２のエラー表示部６３の近傍に取り付けられる（ＳＴ６４）。
【００４８】
組み立てられたポンプユニット６０に２次元コード６５が取り付けられた段階では、２次元コード６５が示すポンプユニット６０の基本情報が、未だ制御盤６２に書き込まれていない（記憶されていない。）。そこで、次にポンプユニット６０に取り付けられた２次元コード６５をコードリーダで読み取り（ＳＴ６５）、読み取った基本情報のデータを制御盤６２に転送して書き込む（ＳＴ６６）。以上で説明したような方法でポンプユニット６０を製造すると、ポンプユニット６０に取り付けられた２次元コードが示す基本情報の内容と、そのポンプユニット６０の制御盤６２に記憶された基本情報の内容とに齟齬が生じることがないため、上述の製造方法はメンテナンスシステム１０の運用に特に適したポンプユニット６０の製造方法となる。
【００４９】
以上の説明では、基本情報がエンコードされたコード６５は２次元コードであるとしたが、バーコード等の１次元コードやその他のコードであってもよい。しかしながら、２次元コードとすると１次元コードよりも多くの情報を扱うことができるため好ましい。なお、２次元コードよりも多くのデータを扱うことができるコードがあれば、そのコードを利用するとよい。
【００５０】
以上の説明では、コード６５がエラー表示部６３の近傍に取り付けられているとしたが、エラー表示部６３の近傍以外の制御盤６２の筐体や、ポンプ６１のケーシング、ポンプユニット６０の架台等に取り付けられていてもよい。しかしながら、エラー表示部６３の近傍に取り付けられていると、エラー表示部６３が表示するエラーの内容とコードとを同時に送信することが可能となるので好ましい。
【００５１】
以上の説明では、ポンプユニット６０の構成部品、各構成部品の耐用年数等を基本情報とは別の情報としているが、これらを基本情報に含めてもよい。基本情報に含まれる情報は、メンテナンス側サーバ２１にアクセスすることなく、コードを読み取った時点で（すなわち現場に居ながらにして）把握することができる。
【００５２】
以上の説明では、現場側端末が携帯電話５１であるとしたが、汎用コンピュータ（パソコン）等の他の端末であってもよい。しかしながら、取り扱うデータ量が携帯電話で対応できる範囲である場合は、携帯電話５１を用いると持ち運びや取り扱いが容易になり、ユーザー情報のメンテナンス側サーバ２１への送信が容易になる。
【００５３】
以上の説明では、ポンプユニット６０を組み立てた後に２次元コード６５を取り付けることとしたが、制御盤６２を製造する際に２次元コード６５の製作及び制御盤６２への取付を行い、２次元コード６５が取り付けられた制御盤６２を用いてポンプユニット６０を組み立ててもよい。２次元コード６５が制御盤６２以外の構成部材に取り付けられる場合は、その構成部材に２次元コード６５を取り付けた後にポンプユニット６０を組み立てることとしてもよいことはいうまでもない。
【図面の簡単な説明】
【００５４】
【図１】本発明の第１の実施の形態に係るメンテナンスシステムを説明する図である。（ａ）は概念図、（ｂ）は２次元コードの拡大図である。
【図２】基本情報に含まれる情報を説明する図である。
【図３】メンテナンス側サーバに格納されているデータを説明する図である。
【図４】メンテナンス側サーバに格納されるユーザー情報を説明する図である。
【図５】メンテナンスシステムの作用を説明するフローチャートである。
【図６】ポンプユニットの製造方法を説明するフローチャートである。
【符号の説明】
【００５５】
１０  メンテナンスシステム
２１  メンテナンス側サーバ
２２  受信手段
２３  送信手段
５１  携帯電話
５５  ファクシミリ
６０  ポンプユニット
６１  ポンプ
６２  制御盤
６３  エラー表示部
６５  コード
Ｄ１  基本情報のデータ
Ｄ４  構成部品の耐用年数情報のデータ
Ｄ５  ユーザー／メンテナンス情報のデータ
【図１】
2009134624.tif 000003
【図２】
2009134624.tif 000004
【図３】
2009134624.tif 000005
【図４】
2009134624.tif 000006
【図５】
2009134624.tif 000007
【図６】
2009134624.tif 000008